(57)【要約】【課題】デジタル放送受信装置が移動して地域が変わった場合に、迅速に放送受信を再開することを可能とする。【解決手段】デジタル放送受信装置１０は、第１チューナ１０６及び第２チューナ１０７を備え、第１チューナ１０６は、所定のチャンネルを受信し、第２チューナ１０７は、所定の周期でチャンネルの検出を行う。そして、第１チューナ１０６が受信する所定のチャンネルの受信レベルが閾値未満に低下した場合には、第１チューナ１０６が受信するチャンネルが、第２チューナ１０７が検出したチャンネルのうち、受信レベルが閾値以上のチャンネルに切り替わる。【選択図】図１
2011130005.tif 000002
【特許請求の範囲】
【請求項１】
デジタル放送を受信するデジタル放送受信装置であって、
所定のチャンネルを受信する第１のチューナと、
所定の周期でチャンネルの検出を行う第２のチューナと、
前記第１のチューナによって受信されている前記所定チャンネルの受信レベルが閾値未満になった場合に、前記第１のチューナが受信するチャンネルを、前記第２のチューナによって検出されたチャンネルのうち、受信レベルが前記閾値以上のチャンネルに切り替える切替部と、
を備えるデジタル放送受信装置。
【請求項２】
前記所定チャンネル毎に切り替え先となるチャンネルの優先順位のリストを保持する第１の保持部を備え、
前記切替部は、前記優先順位のリストに基づいて、チャンネルの切り替えを行う請求項１に記載のデジタル放送受信装置。
【請求項３】
系列を構成する放送局のリストを保持する第２の保持部を備え、
前記切替部は、前記系列を構成する放送局のリストに基づいて、チャンネルの切り替えを行う請求項１又は２に記載のデジタル放送受信装置。
【請求項４】
切り替え先の候補となるチャンネルの情報を提示する提示部を備え、
前記切替部は、前記切り替え先の候補となるチャンネルの何れかが選択された場合に、選択された前記チャンネルに切り替える請求項１乃至３の何れかに記載のデジタル放送受信装置。
【請求項５】
前記第２のチューナによって検出されたチャンネルを示す検出チャンネル情報を保持する第３の保持部を備える請求項１乃至４の何れかに記載のデジタル放送受信装置。
【請求項６】
前記第３の保持部が、前記第２のチューナによる最新の所定回数のチャンネル検出に対応する検出チャンネル情報を保持するように、検出チャンネル情報の更新を行う更新部を備える請求項５に記載のデジタル放送受信装置。
【請求項７】
前記切替部は、切り替え先となるチャンネルの優先順位のリストに基づいて、チャンネルの切り替えを行う場合に、前記第３の保持部に保持されている前記検出チャンネル情報に基づいて、前記優先順位のリストを構成し、構成した前記優先順位のリストに基づいて、前記チャンネルの切り替えを行う請求項５又は６に記載のデジタル放送受信装置。
【請求項８】
前記切替部は、系列を構成する放送局のリストに基づいて、チャンネルの切り替えを行う場合に、前記第３の保持部に保持されている前記検出チャンネル情報に基づいて、前記系列を構成する放送局のリストに含まれる放送局に対応するチャンネルの優先順位を決定し、決定した前記優先順位に基づいて、前記チャンネルの切り替えを行う請求項５又は６に記載のデジタル放送受信装置。
【請求項９】
第１のチューナ及び第２のチューナを備え、デジタル放送を受信するデジタル放送受信装置におけるデジタル放送受信方法であって、
前記第１のチューナが、所定のチャンネルを受信するステップと、
第２のチューナが、所定の周期でチャンネルの検出を行うステップと、
前記デジタル放送受信装置が、前記第１のチューナによって受信されている前記所定チャンネルの受信レベルが閾値未満になった場合に、前記第１のチューナが受信するチャンネルを、前記第２のチューナによって検出されたチャンネルのうち、受信レベルが前記閾値以上のチャンネルに切り替えるステップと、
を備えるデジタル放送受信方法。
【発明の詳細な説明】
【技術分野】
【０００１】
本発明は、デジタル放送を受信するデジタル放送受信装置、及び、当該デジタル放送受信装置におけるデジタル放送受信方法に関する。
【背景技術】
【０００２】
従来より、携帯電話機やカーナビゲーション装置等、地上波デジタル放送の受信機能を備える移動可能なデジタル放送受信装置が広く普及している。一般に、受信可能なチャンネルは、地域毎に異なっている。このため、移動可能なデジタル放送受信装置は、移動することによって、それまで受信していたチャンネルを受信することができなくなる場合がある。
【０００３】
このような問題に対して、例えば、特許文献１に記載された技術では、デジタル放送受信装置は、選局キー番号と、当該選局キーに対応付けられた複数の放送局を記憶するメモリを備え、制御部が受信可能判定を行った後、その地域で受信可能な放送局を、同じ系列の放送局が対応付けられている選局キーに対応付けるようにメモリを書き換える。そして、選局キーが押される毎に、制御部がメモリの情報を基に、複数の放送局及び複数のサービスを切り替える。
【先行技術文献】
【特許文献】
【０００４】
【特許文献１】特開２００６−１００９５３号公報
【発明の概要】
【発明が解決しようとする課題】
【０００５】
しかしながら、上述した従来のデジタル放送受信装置は、受信可能な放送局の検出（チャンネルスキャン）を行った後、検出した放送局を選局キーに対応付けており、地域が変わっても、チャンネルスキャンが終了するまでは、チャンネルを切り替えて受信を再開することができない。チャンネルスキャンは、相応の時間を要するため、その間、放送が途切れることは、連続視聴をしたい利用者にとって不都合である。
【０００６】
そこで、本発明は、デジタル放送受信装置が移動して地域が変わった場合に、迅速に放送受信を再開することが可能なデジタル放送受信装置及びデジタル放送受信方法を提供することを目的とする。
【課題を解決するための手段】
【０００７】
上述した課題を解決するために、本発明は以下のような特徴を有している。まず、本発明の第１の特徴は、デジタル放送を受信するデジタル放送受信装置（デジタル放送受信装置１０）であって、所定のチャンネルを受信する第１のチューナ（第１チューナ１０６）と、所定の周期でチャンネルの検出を行う第２のチューナ（第２チューナ１０７）と、前記第１のチューナによって受信されている前記所定チャンネルの受信レベルが閾値未満になった場合に、前記第１のチューナが受信するチャンネルを、前記第２のチューナによって検出されたチャンネルのうち、受信レベルが前記閾値以上のチャンネルに切り替える切替部（切替部１２１）とを備えることを要旨とする。
【０００８】
このようなデジタル放送受信装置では、第１及び第２のチューナのうち、第１のチューナは、所定のチャンネルを受信し、第２のチューナは、所定の周期でチャンネルの検出を行う。そして、第１のチューナが受信する所定のチャンネルの受信レベルが低下した場合には、第１のチューナが受信するチャンネルが、第２のチューナが検出したチャンネルのうち、受信レベルの高いチャンネルに切り替わる。従って、デジタル放送受信装置は、２つのチューナを用いて、所定のチャンネルの受信と、チャンネルの検出とを並行して行い、更には、地域が変わった場合には、迅速に放送受信を再開することが可能となる。
【０００９】
本発明の第２の特徴は、前記所定チャンネル毎に切り替え先となるチャンネルの優先順位のリストを保持する第１の保持部（ＲＯＭ１１４）を備え、前記切替部は、前記優先順位のリストに基づいて、チャンネルの切り替えを行うことを要旨とする。
【００１０】
本発明の第３の特徴は、系列を構成する放送局のリストを保持する第２の保持部（ＲＯＭ１１４）を備え、前記切替部は、前記系列を構成する放送局のリストに基づいて、チャンネルの切り替えを行うことを要旨とする。
【００１１】
本発明の第４の特徴は、切り替え先の候補となるチャンネルの情報を提示する提示部（モニタ１１７）を備え、前記切替部は、前記切り替え先の候補となるチャンネルの何れかが選択された場合に、選択された前記チャンネルに切り替えることを要旨とする。
【００１２】
本発明の第５の特徴は、前記第２のチューナによって検出されたチャンネルを示す検出チャンネル情報を保持する第３の保持部（メモリ１１２）を備えることを要旨とする。
【００１３】
本発明の第５の特徴は、前記第３の保持部が、前記第２のチューナによる最新の所定回数のチャンネル検出に対応する検出チャンネル情報を保持するように、前記検出チャンネル情報の更新を行う更新部（制御部１０２）を備えることを要旨とする。
【００１４】
本発明の第７の特徴は、前記切替部は、切り替え先となるチャンネルの優先順位のリストに基づいて、チャンネルの切り替えを行う場合に、前記第３の保持部に保持されている前記検出チャンネル情報に基づいて、前記優先順位のリストを構成し、構成した前記優先順位のリストに基づいて、前記チャンネルの切り替えを行うことを要旨とする。
【００１５】
本発明の第８の特徴は、前記切替部は、系列を構成する放送局のリストに基づいて、チャンネルの切り替えを行う場合に、前記第３の保持部に保持されている前記検出チャンネル情報に基づいて、前記系列を構成する放送局のリストに含まれる放送局に対応するチャンネルの優先順位を決定し、決定した前記優先順位に基づいて、前記チャンネルの切り替えを行うことを要旨とする。
【００１６】
本発明の第９の特徴は、第１のチューナ及び第２のチューナを備え、デジタル放送を受信するデジタル放送受信装置におけるデジタル放送受信方法であって、前記第１のチューナが、所定のチャンネルを受信するステップと、第２のチューナが、所定の周期でチャンネルの検出を行うステップと、前記デジタル放送受信装置が、前記第１のチューナによって受信されている前記所定チャンネルの受信レベルが閾値未満になった場合に、前記第１のチューナが受信するチャンネルを、前記第２のチューナによって検出されたチャンネルのうち、受信レベルが前記閾値以上のチャンネルに切り替えるステップとを備えることを要旨とする。
【発明の効果】
【００１７】
本発明によれば、デジタル放送受信装置が移動して地域が変わった場合に、迅速に放送受信を再開することが可能となる。
【図面の簡単な説明】
【００１８】
【図１】本発明の実施形態に係るデジタル放送受信装置の構成図である。
【図２】本発明の実施形態に係る受信中チャンネル情報の一例を示す図である。
【図３】本発明の実施形態に係る検出チャンネル情報の一例を示す図である。
【図４】本発明の実施形態に係る優先順位リストの一例を示す図である。
【図５】本発明の実施形態に係る系列局リストの一例を示す図である。
【図６】本発明の実施形態に係るデジタル放送受信装置の動作を示すフローチャートである。
【図７】本発明の実施形態に係る切替先候補の表示例を示す図である。
【発明を実施するための形態】
【００１９】
次に、図面を参照して、本発明の実施形態を説明する。具体的には、（１）デジタル放送受信装置の構成、（２）デジタル放送受信装置の動作、（３）作用・効果、（４）その他の実施形態について説明する。以下の実施形態における図面の記載において、同一又は類似の部分には同一又は類似の符号を付している。
【００２０】
（１）デジタル放送受信装置の構成
図１は、本発明の実施形態に係るデジタル放送受信装置１０の構成図である。
【００２１】
図１に示すデジタル放送受信装置１０は、デジタル放送を受信するものである。ここで、デジタル放送は、地上デジタル放送、ＢＳデジタル放送、ＣＳデジタル放送等、特に限定されない。このデジタル放送受信装置１０は、制御部１０２、アンテナ１０４、アンテナ１０５、第１チューナ１０６、第２チューナ１０７、ＵＳＢ（Universal Serial Bus）インタフェース（Ｉ／Ｆ）１０８、ＵＳＢＩ／Ｆ１０９、メモリ１１２、ＲＯＭ１１４、入出力部（Ｉ／Ｏ部）１１６、モニタ１１７及び操作部１１８を含む。
【００２２】
制御部１０２は、例えばＣＰＵによって構成され、デジタル放送受信装置１０が具備する各種機能を制御する。この制御部１０２は、切替部１２１及び表示制御部１２３を含む。
【００２３】
アンテナ１０４及び１０５は、デジタル放送信号を受信する。このデジタル放送信号には、暗号化された動画データ、音声データ、チャンネル番号、放送局名、番組表等が含まれている。
【００２４】
第１チューナ１０６は、ＵＳＢＩ／Ｆ１０８を介して制御部１０２に接続される。第１チューナ１０６は、デジタル放送信号に含まれる、所定のチャンネルの信号を取り出して、当該信号を、ＵＳＢＩ／Ｆ１０８を介して制御部１０２へ出力する。
【００２５】
第２チューナ１０７は、ＵＳＢＩ／Ｆ１０９を介して制御部１０２に接続される。第２チューナ１０７は、所定の周期でチャンネルの検出（チャンネルスキャン）を行い、チャンネル検出の結果を、ＵＳＢＩ／Ｆ１０９を介して制御部１０２へ出力する。
【００２６】
制御部１０２は、第１チューナ１０６からの所定のチャンネルの信号について、復号処理を行い、動画データ及び音声データを得る。これら動画データ及び音声データは、Ｉ／Ｏ部１１６を介してモニタ１１７へ出力される。モニタ１１７は、入力した動画データに対応する動画を表示するとともに、入力した音声データに対応する音声を、内蔵する図示しないスピーカから出力する。
【００２７】
また、制御部１０２は、第２チューナ１０７からのチャンネル検出の結果を入力する。
【００２８】
メモリ１１２は、例えば、ＤＤＲ−ＳＲＡＭであり、デジタル放送受信装置１０が具備する各種機能を実現するために必要な情報を記憶している。ＲＯＭ１１４は、例えば、フラッシュロムであり、地域設定の情報、後述するチャンネルスキャンにより検出されたチャンネルの情報、番組表の情報等を記憶する。
【００２９】
操作部１１８は、利用者の操作に応じた操作信号を生成し、当該操作信号を、Ｉ／Ｏ部１１６を介して制御部１０２へ出力する。
【００３０】
本実施形態のデジタル放送受信装置１０は、第１チューナ１０６及び第２チューナ１０７を用いて、所定のチャンネルの受信と、チャンネルの検出とを並行して行うことにより、地域が変わった場合には、迅速に放送受信を再開することを可能とする。具体的には、以下の処理が行われる。
【００３１】
第１チューナ１０６は、所定のチャンネルのデジタル放送信号を受信する。次に、第１チューナ１０６は、所定の周期で、受信した所定のチャンネルにおけるデジタル放送信号の受信レベルの値を測定する。更に、第１チューナ１０６は、受信レベル値を測定する毎に、測定した受信レベル値と、受信中のチャンネルの番号及び放送局名とを、制御部１０２へ出力する。
【００３２】
制御部１０２は、入力した受信レベル値、受信中のチャンネルの番号及び放送局名を入力する毎に、これらを対応付けた受信中チャンネル情報を生成する。図２は、受信中チャンネル情報の一例を示す図である。
【００３３】
第２チューナ１０７は、第１チューナ１０６による所定のチャンネルのデジタル放送の受信と並行して、所定の周期でチャンネルスキャンを行う。次に、第２チューナ１０７は、チャンネルスキャンによって、チャンネルが検出される毎に、当該検出されたチャンネル（検出チャンネル）におけるデジタル放送信号の受信レベルの値を測定する。更に、第２チューナ１０７は、測定した受信レベル値と、検出チャンネルの番号及び放送局名と、検出時刻とを、制御部１０２へ出力する。
【００３４】
制御部１０２は、受信レベル値と、検出チャンネルの番号及び放送局名と、検出時刻とを入力する毎に、これらを対応付けた検出チャンネル情報を生成する。図３は、検出チャンネル情報の一例を示す図である。更に、制御部１０２は、生成した検出チャンネル情報をチャンネルスキャンの結果としてメモリ１１２に記憶させる。
【００３５】
ここで、制御部１０２は、メモリ１１２に最新の所定回数のチャンネルスキャンに対応する所定数の検出チャンネル情報が記憶されるように更新処理を行う。具体的には、制御部１０２は、メモリ１１２に既に所定数の検出チャンネル情報が記憶されている場合には、検出時刻に基づいて、その中の最も古い検出チャンネル情報を削除し、生成した最新の検出チャンネル情報を記憶させる。
【００３６】
あるいは、制御部１０２は、メモリ１１２に記憶されている検出チャンネル情報について、当該検出チャンネル情報内の検出時刻から所定時間（例えば５分間）が経過している場合には、その検出チャンネル情報をメモリ１１２から削除してもよい。
【００３７】
なお、検出チャンネル情報に含まれる、全ての検出チャンネルの受信レベル値が閾値未満である場合や、検出チャンネル情報に含まれる、所定の割合（例えば５０％以上）の検出チャンネルの受信レベル値が閾値未満である場合には、制御部１０２は、当該検出チャンネル情報をメモリ１１２に記憶させないようにしてもよい。
【００３８】
ＲＯＭ１１４には、予め、チャンネル毎に、当該チャンネルが切替元となる場合の切替先となるチャンネルの優先順位を示す優先順位リストが記憶されている。図４は、優先順位リストの一例を示す図である。図４に示す優先順位リストは、切替元のチャンネルの放送局名と、切替先となるチャンネルの放送局名とにより構成され、切替先となるチャンネルの放送局名は、優先順位が上位のものから順に配置されている。優先順位は、利用者が設定可能である。制御部１０２は、利用者の操作部１１８の操作に応じて優先順位リストを生成し、ＲＯＭ１１４に記憶させる。
【００３９】
なお、制御部１０２は、検出チャンネル情報に基づいて、チャンネルスキャンの結果を優先順位のリストに反映させるようにしてもよい。例えば、制御部１０２は、過去の複数回のチャンネルスキャンによって検出されたチャンネルについて、最新に検出されたチャンネルに対応する切替先の放送局名ほど、優先順位が高くなるように、優先順位のリストを構成してもよい。また、制御部１０２は、過去の複数回のチャンネルスキャンによって検出されたチャンネルについて、検出された回数の多いチャンネルに対応する切替先の放送局名ほど、優先順位が高くなるように、優先順位のリストを構成してもよい。
【００４０】
また、ＲＯＭ１１４には、予め、系列を構成する放送局を示す系列局リストが記憶されている。ここで、系列とは、例えば、全国放送の際に同一の放送を送出する放送局の集合を意味する。図５は、系列局リストの一例を示す図である。図４に示す優先順位リストは、切替元のチャンネルの放送局名と、切替先となるチャンネルの放送局名とにより構成され、切替先となるチャンネルの放送局名は、切替元のチャンネルの放送局に隣接し、且つ、当該切替元のチャンネルの放送局と同一の系列の放送局名である。
【００４１】
受信中チャンネル情報と検出チャンネル情報とが生成された後、制御部１０２内の切替部１２１は、受信中チャンネル情報に含まれる、受信中チャンネルの受信レベル値が閾値未満であるか否かを判定する。ここで、閾値は、デジタル放送を視聴可能な場合の最低の受信レベル値であり、予め、メモリ１１２に記憶されている。
【００４２】
受信中チャンネルの受信レベル値が閾値未満である場合、次に、切替部１２１は、メモリ１１２に記憶された、所定数の検出チャンネル情報に含まれる、検出チャンネルの何れかの受信レベル値が閾値以上であるか否かを判定する。
【００４３】
検出チャンネルの何れかの受信レベル値が閾値以上である場合、切替部１２１は、チャンネルの切替モードが優先順位モードであるか、系列モードであるかを判定する。利用者は、操作部１１８を操作することにより、チャンネルの切替モードを、優先順位モードと系列モードとの何れかに設定することができる。切替部１２１は、この操作に応じた操作信号に基づいて、チャンネルの切替モードが優先順位モードであるか、系列モードであるかを判定することができる。
【００４４】
チャンネルの切替モードが優先順位モードである場合、切替部１２１は、受信中チャンネル情報、検出チャンネル情報及び優先順位リストに基づいて、切替先のチャンネルを特定する。
【００４５】
具体的には、切替部１２１は、受信中チャンネル情報内の放送局名（受信中のチャンネルの放送局名）を抽出する。次に、切替部１２１は、優先順位リストのうち、受信中のチャンネルの放送局名を切替元の放送局名として含む優先順位リストを特定する。次に、切替部１２１は、検出チャンネル情報に含まれる放送局名のうち、対応する受信レベル値が所定値以上である放送局名を特定する。次に、切替部１２１は、特定した優先順位リストに含まれる、切替先となるチャンネルの放送局名のうち、対応する受信レベル値が所定値以上であって、且つ、対応する優先順位が最も高い切替先となるチャンネルの放送局名を、切替先のチャンネルの放送局名として特定する。
【００４６】
例えば、受信中チャンネル情報が図２に示すものであり、検出チャンネル情報が図３に示すものであり、優先順位リストが図４に示すものである場合を考える。
【００４７】
この場合、切替部１２１は、受信中チャンネル情報内の放送局名「ＡＡＡテレビ」を抽出する。次に、切替部１２１は、優先順位リストのうち、受信中のチャンネルの放送局名「ＡＡＡテレビ」を切替元の放送局名として含む優先順位リストを特定する。次に、切替部１２１は、検出チャンネル情報に含まれる放送局名のうち、対応する受信レベル値が所定値以上である放送局名（ここでは、「ＣＣＣテレビ」及び「テレビＤＤＤ」とする）を特定する。次に、切替部１２１は、特定した優先順位リストに含まれる、切替先となるチャンネルの放送局名のうち、対応する受信レベル値が所定値以上であって、且つ、対応する優先順位が最も高い切替先となるチャンネルの放送局名「テレビＤＤＤ」を、切替先のチャンネルの放送局名として特定する。
【００４８】
更に、切替部１２１は、第１チューナ１０６の受信チャンネルを、特定した切替先のチャンネルに切り替える制御を行う。
【００４９】
一方、チャンネルの切替モードが系列モードである場合、切替部１２１は、受信中チャンネル情報、検出チャンネル情報及び系列局リストに基づいて、切替先のチャンネルを特定する。
【００５０】
具体的には、切替部１２１は、受信中チャンネル情報内の放送局名（受信中のチャンネルの放送局名）を抽出する。次に、切替部１２１は、系列局リストのうち、受信中のチャンネルの放送局名を切替元の放送局名として含む系列局リストを特定する。次に、切替部１２１は、検出チャンネル情報に含まれる放送局名のうち、対応する受信レベル値が所定値以上である放送局名を特定する。次に、切替部１２１は、特定した系列局リストに含まれる、切替先となるチャンネルの放送局名のうち、対応する受信レベル値が所定値以上であるチャンネルの放送局名を、切替先のチャンネルの放送局名として特定する。
【００５１】
例えば、受信中チャンネル情報が図２に示すものであり、検出チャンネル情報が図３に示すものであり、系列局リストが図５に示すものである場合を考える。
【００５２】
この場合、切替部１２１は、受信中チャンネル情報内の放送局名「ＡＡＡテレビ」を抽出する。次に、切替部１２１は、系列局リストのうち、受信中のチャンネルの放送局名「ＡＡＡテレビ」を切替元の放送局名として含む系列局リストを特定する。次に、切替部１２１は、検出チャンネル情報に含まれる放送局名のうち、対応する受信レベル値が所定値以上である放送局名（ここでは、「ＣＣＣテレビ」及び「テレビＤＤＤ」とする）を特定する。次に、切替部１２１は、特定した系列局リストに含まれる、切替先となるチャンネルの放送局名のうち、対応する受信レベル値が所定値以上であって、且つ、対応する検出時刻が最新のチャンネルの放送局名（ここでは、「テレビＤＤＤ」とする）を、切替先のチャンネルの放送局名として特定する。
【００５３】
更に、切替部１２１は、第１チューナ１０６の受信チャンネルを、特定した切替先のチャンネルに切り替える制御を行う。
【００５４】
（２）デジタル放送受信装置の動作
図６は、デジタル放送受信装置１０の動作を示すフローチャートである。
【００５５】
ステップＳ１０１において、第１チューナ１０６は、所定のチャンネルのデジタル放送を受信する。また、第２チューナ１０７は、第１チューナ１０６による所定のチャンネルのデジタル放送の受信と並行して、所定の周期でチャンネルスキャンを行う。
【００５６】
ステップＳ１０２において、制御部１０２は、第１チューナ１０６による受信中のチャンネルの受信レベル値、チャンネルの番号及び放送局名を対応付けた受信中チャンネル情報を生成する。また、制御部１０２は、第２チューナ１０７によるチャンネルスキャンによって検出されたチャンネル（検出チャンネル）の受信レベル値、チャンネルの番号及び放送局名と、検出時刻とを対応付けた検出チャンネル情報を生成する。
【００５７】
ステップＳ１０３において、制御部１０２は、受信中チャンネルの受信レベル値が閾値未満であるか否かを判定する。受信中チャンネルの受信レベル値が閾値以上である場合には、ステップＳ１０１における、第１チューナ１０６による所定のチャンネルのデジタル放送の受信と、第２チューナ１０７によるチャンネルスキャンとが継続される。
【００５８】
一方、受信中チャンネルの受信レベル値が閾値未満である場合には、ステップＳ１０４において、制御部１０２は、検出チャンネルの何れかの受信レベル値が閾値以上であるか否かを判定する。検出チャンネルの何れも、受信レベル値が閾値未満である場合には、ステップＳ１０１における、第１チューナ１０６による所定のチャンネルのデジタル放送の受信と、第２チューナ１０７によるチャンネルスキャンとが継続される。
【００５９】
一方、検出チャンネルの何れかの受信レベル値が閾値以上である場合には、ステップＳ１０５において、制御部１０２は、チャンネルの切替モードが優先順位モードであるか否かを判定する。
【００６０】
チャンネルの切替モードが優先順位モードである場合、ステップＳ１０６において、制御部１０２は、受信中チャンネル情報、検出チャンネル情報及び優先順位リストに基づいて、切替先のチャンネルを特定する。更に、ステップＳ１０８において、制御部１０２は、第１チューナ１０６の受信チャンネルを、特定した切替先のチャンネルに切り替える制御を行う。
【００６１】
また、ステップＳ１０５において、チャンネルの切替モードが優先順位モードでない場合、換言すれば、チャンネルの切替モードが系列モードである場合、ステップＳ１０７において、制御部１０２は、受信中チャンネル情報、検出チャンネル情報及び系列局リストに基づいて、切替先のチャンネルを特定する。更に、ステップＳ１０８において、制御部１０２は、第１チューナ１０６の受信チャンネルを、特定した切替先のチャンネルに切り替える制御を行う。
【００６２】
（３）作用・効果
本実施形態におけるデジタル放送受信装置１０は、第１チューナ１０６及び第２チューナ１０７を備え、第１チューナ１０６は、所定のチャンネルを受信し、第２チューナ１０７は、所定の周期でチャンネルの検出を行う。そして、第１チューナ１０６が受信する所定のチャンネルの受信レベルが閾値未満に低下した場合には、第１チューナ１０６が受信するチャンネルが、第２チューナ１０７が検出したチャンネルのうち、受信レベルが閾値以上のチャンネルに切り替わる。従って、デジタル放送受信装置１０は、第１チューナ１０６及び第２チューナ１０７を用いて、所定のチャンネルの受信と、チャンネルの検出とを並行して行い、更には、デジタル放送受信装置１０が移動して地域が変わった場合には、迅速に放送受信を再開することが可能となる。
【００６３】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
上述した実施形態では、制御部１０２内の切替部１２１が、切替先のチャンネルを特定し、第１チューナ１０６の受信チャンネルを、特定した切替先のチャンネルに切り替える制御を行ったが、複数の切替先の候補となるチャンネルを利用者に提示し、利用者が切替先のチャンネルを選択可能であるようにしてもよい。
【００６５】
この場合、以下のような処理が行われる。すなわち、制御部１０２内の切替部１２１は、チャンネルの切替モードが優先順位モードの場合、受信中チャンネル情報内の放送局名（受信中のチャンネルの放送局名）を抽出する。次に、切替部１２１は、優先順位リストのうち、受信中のチャンネルの放送局名を切替元の放送局名として含む優先順位リストを特定する。次に、切替部１２１は、検出チャンネル情報に含まれる放送局名のうち、対応する受信レベル値が所定値以上である放送局名を特定する。次に、切替部１２１は、特定した優先順位リストに含まれる、切替先となるチャンネルの放送局名のうち、対応する受信レベル値が所定値以上であって、且つ、対応する優先順位が所定順位以上である切替先となるチャンネルの放送局名を、切替先候補のチャンネルの放送局名として特定する。
【００６６】
一方、制御部１０２内の切替部１２１は、チャンネルの切替モードが系列モードの場合、受信中チャンネル情報内の放送局名（受信中のチャンネルの放送局名）を抽出する。次に、切替部１２１は、系列局リストのうち、受信中のチャンネルの放送局名を切替元の放送局名として含む系列局リストを特定する。次に、切替部１２１は、検出チャンネル情報に含まれる放送局名のうち、対応する受信レベル値が所定値以上である放送局名を特定する。次に、切替部１２１は、特定した系列局リストに含まれる、切替先となるチャンネルの放送局名のうち、対応する受信レベル値が所定値以上であって、且つ、対応する検出時刻が最新のチャンネルの放送局名を、切替先候補のチャンネルの放送局名として特定する。
【００６７】
更に、チャンネルの切替モードが優先順位モード及び系列モードのそれぞれの場合において、表示制御部１２３は、モニタ１１７に、切替先候補のチャンネルの放送局名を表示させる制御を行う。図７は、切替先候補のチャンネルの放送局名の表示例を示す図である。
【００６８】
利用者は、操作部１１８を操作して、表示された切替先候補のチャンネルの放送局名の何れかを切替先として選択する。切替部１２１は、この操作に応じた操作信号を操作部１１８から入力すると、当該操作信号に基づいて、切替先のチャンネルを特定する。更に、切替部１２１は、第１チューナ１０６の受信チャンネルを、特定した切替先のチャンネルに切り替える制御を行う。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７０】
本発明のデジタル放送受信装置及びデジタル放送受信方法は、デジタル放送受信装置が移動して地域が変わった場合に、迅速に放送受信を再開することが可能であり、デジタル放送受信装置及びデジタル放送受信方法として有用である。
【符号の説明】
【００７１】
１０…デジタル放送受信装置、２０…リモートコントローラ、１０２…制御部、１０４、１０５…アンテナ、１０６…第１チューナ、１０７…第２チューナ、１０８、１０９…ＵＳＢＩ／Ｆ、１１２…メモリ、１１４…ＲＯＭ、１１６…Ｉ／Ｏ部、１１７…モニタ、１１８…リモコン受信部、１２１…切替部、１２２…表示制御部
【図１】
2011130005.tif 000003
【図２】
2011130005.tif 000004
【図３】
2011130005.tif 000005
【図４】
2011130005.tif 000006
【図５】
2011130005.tif 000007
【図６】
2011130005.tif 000008
【図７】
2011130005.tif 000009